(57)【要約】【課題】昇降カゴがスリップすることを防ぐ、昇降カゴのスリップ防止制動装置を提供する。【解決手段】昇降カゴのスリップ防止制動装置は、昇降路１０及びカゴ２０を備える。カゴ２０は、昇降路１０内に設置される。カゴ２０は、昇降動力機構により昇降される。カゴ２０の一面には、可動可能な１組のカゴドア２１が設けられる。カゴ２０の両側壁面上には、複数の制動装置３０が固設される。制動装置３０は、閂杆を含む。各位置決め部材は、閂孔を含む。制動装置３０は、カゴドア２１により連動され、カゴドア２１が開くと制動装置３０により閂杆が位置決め部材の閂孔に挿通されて位置決めされ、カゴドア２１が閉じると、制動装置３０により閂杆が元の状態に回復され、昇降カゴがスリップすることを防ぐ。【選択図】図１
0003205364.tif 000002
【実用新案登録請求の範囲】
【請求項１】
昇降路及びカゴを備えた、昇降カゴのスリップ防止制動装置であって、
前記カゴは、前記昇降路内に設置され、前記カゴは、昇降動力機構により昇降され、前記カゴの一面には、可動可能な１組のカゴドアが設けられ、
前記カゴの両側壁面上には、複数の制動装置が固設され、前記制動装置は、閂杆を含み、前記昇降路内の前記カゴが停まる階の前記カゴの前記制動装置が対応する箇所には、複数の位置決め部材が設けられ、前記位置決め部材は、閂孔を含み、前記制動装置は、前記カゴドアにより連動され、前記カゴドアが開くと前記制動装置により前記閂杆が前記位置決め部材の前記閂孔に挿通されて位置決めされ、前記カゴドアが閉じると、前記制動装置により前記閂杆が元の状態に回復され、前記昇降カゴのスリップが防止されることを特徴とする昇降カゴのスリップ防止制動装置。
【請求項２】
前記制動装置は、前記カゴドアと接続されるとともに、前記機構により駆動され、
前記カゴドアが開くと、前記機構により前記制動装置が駆動されることを特徴とする請求項１に記載の昇降カゴのスリップ防止制動装置。
【請求項３】
前記制動装置と前記カゴドアとは連動し、前記制動装置が電力で駆動され、前記カゴドアが開くと前記制動装置へ電力が供給されて前記制動装置が動作することを特徴とする請求項１に記載の昇降カゴのスリップ防止制動装置。
【請求項４】
前記制動装置の前記閂杆を元の状態に回復させる動力は、ばねであることを特徴とする請求項１に記載の昇降カゴのスリップ防止制動装置。
【請求項５】
前記昇降動力機構は、１組のワイヤロープを含むことを特徴とする請求項１に記載の昇降カゴのスリップ防止制動装置。
【請求項６】
前記カゴの両側壁面上には、前記制動装置が固設され、
前記制動装置は、前記カゴの両側壁面上の中央部に位置することを特徴とする請求項１に記載の昇降カゴのスリップ防止制動装置。
【請求項７】
前記カゴの両側壁面上には、前記制動装置が固設され、
前記制動装置は、前記カゴの両側壁面上に非等間隔に形成された縦３列と、横３列とが交差する箇所にそれぞれ設けられることを特徴とする請求項１に記載の昇降カゴのスリップ防止制動装置。
【請求項８】
前記閂孔の寸法は前記閂杆より大きく、前記閂杆が前記閂孔の頂面に当接すると、前記制動装置が上昇を制動し、前記閂孔の底面に前記閂杆が当接すると、前記制動装置が下降を制動することを特徴とする請求項１に記載の昇降カゴのスリップ防止制動装置。
【考案の詳細な説明】
【技術分野】
【０００１】
本考案は、昇降カゴのスリップ防止制動装置に関し、特に、カゴの外周に複数の制動装置が設けられ、昇降路内には複数の位置決め部材が設けられ、制動装置と昇降カゴのドアとが連動されて機構又は電力で駆動され、昇降カゴのドアが開くと制動され、昇降カゴのドアが閉まると元の状態に回復し、昇降カゴがスリップすることを防ぐ、昇降カゴのスリップ防止制動装置に関する。
【背景技術】
【０００２】
昇降かごを長年使用すると、昇降カゴがスリップする虞があり、昇降カゴがスリップする原因には、以下（１）〜（４）がある。
（１）ワイヤロープが磨耗してワイヤロープホイールとの接触摩擦係数が下がり、昇降カゴがスリップする。
（２）ワイヤロープがスリップし過ぎて、ワイヤロープホイールとの接触摩擦係数が下がり、昇降カゴがスリップする。
（３）昇降カゴの積載量が多すぎる場合、瞬時の重力加速度により昇降カゴがスリップする。
（４）原因不明の昇降不能により昇降カゴがスリップする。
【０００３】
そのため上述したように従来構造が有する問題点を改善する、昇降カゴのスリップ防止制動装置が求められていた。
【０００４】
本考案の主な目的は、カゴの外周に複数の制動装置が設けられ、昇降路内に複数の位置決め部材が設けられ、制動装置と昇降カゴのドアとが連動されて機構又は電力で駆動され、昇降カゴのドアが開くと制動され、昇降カゴのドアが閉まると元の状態に回復し、昇降カゴがスリップすることを防ぐ、昇降カゴのスリップ防止制動装置を提供することにある。
【考案の概要】
【課題を解決するための手段】
【０００５】
上記課題を解決するために、本考案の第１の形態によれば、昇降路及びカゴを備えた、昇降カゴのスリップ防止制動装置であって、前記カゴは、前記昇降路内に設置され、前記カゴは、昇降動力機構により昇降され、前記カゴの一面には、可動可能な１組のカゴドアが設けられ、前記カゴの両側壁面上には、複数の制動装置が固設され、前記制動装置は、閂杆を含み、前記昇降路内の前記カゴが停まる階の前記カゴの前記制動装置が対応する箇所には、複数の位置決め部材が設けられ、各前記位置決め部材は、閂孔を含み、前記制動装置は、前記カゴドアにより連動され、前記カゴドアが開くと前記制動装置により前記閂杆が前記位置決め部材の前記閂孔に挿通されて位置決めされ、前記カゴドアが閉じると、前記制動装置により前記閂杆が元の状態に回復され、前記昇降カゴがスリップすることを防ぐことを特徴とする昇降カゴのスリップ防止制動装置が提供される。
【図面の簡単な説明】
【０００６】
【図１】図１は、本考案の一実施形態に係る昇降カゴのスリップ防止制動装置を示す斜視図である。
【図２】図２は、本考案の一実施形態に係る昇降カゴのスリップ防止制動装置を示す断面図である。
【図３】図３は、本考案の一実施形態に係る昇降カゴのスリップ防止制動装置を示す動作図である。
【図４】図４は、本考案の一実施形態に係る昇降カゴのスリップ防止制動装置の昇降カゴの上昇が制止される動作図である。
【図５】図５は、本考案の一実施形態に係る昇降カゴのスリップ防止制動装置の昇降カゴの下降が制止される動作図である。
【図６】図６は、本考案の他の実施形態に係る昇降カゴのスリップ防止制動装置を示す斜視図である。
【考案を実施するための形態】
【０００７】
以下、本考案の実施形態について図に基づいて説明する。なお、これによって本考案が限定されるものではない。
【０００８】
図１〜図６を参照する。図１〜図６に示すように、本考案の一実施形態に係る昇降カゴのスリップ防止制動装置は、少なくとも昇降路１０及びカゴ２０から構成されてなる。
【０００９】
カゴ２０は、昇降路１０内に設置される。カゴ２０は、昇降動力機構により昇降され、カゴ２０の一面には、可動可能な１組のカゴドア２１が設けられる。
【００１０】
前述したカゴ２０の両側壁面上には、複数の制動装置３０が固設される。前述した制動装置３０には、閂杆３１が含まれる。昇降路１０内のカゴ２０が停まる階のカゴ２０の制動装置３０が対応する箇所には、複数の位置決め部材４０が設けられる。各位置決め部材４０は、閂孔４１を含む。制動装置３０は、カゴドア２１により連動され、カゴドア２１が開くと制動装置３０により閂杆３１が位置決め部材４０の閂孔４１に挿通されて位置決めされ、カゴドア２１が閉じると、制動装置３０により閂杆３１が元の状態に回復され、昇降カゴがスリップすることを防ぐ。
【００１１】
本実施形態の昇降カゴのスリップ防止制動装置の制動装置３０は、カゴドア２１と接続されるとともに、機構により駆動され、カゴドア２１が開くと、機構により制動装置３０が駆動される。
【００１２】
本実施形態の昇降カゴのスリップ防止制動装置の制動装置３０とカゴドア２１とは連動し、制動装置３０が電力で駆動され、カゴドア２１が開くと制動装置３０へ電力が供給されて制動装置３０が動作する。
【００１３】
図２に示すように、上述した昇降カゴのスリップ防止制動装置の制動装置３０の閂杆３１を元の状態に回復させる動力はばね３２である。
【００１４】
図１に示すように、上述した昇降カゴのスリップ防止制動装置の昇降動力機構は、１組のワイヤロープ５０を含む。
【００１５】
図１に示すように、上述した昇降カゴのスリップ防止制動装置のカゴ２０の両側壁面上には、複数の制動装置３０が固設される。制動装置は、カゴ２０の両側壁面上の中央部に位置する。
【００１６】
図６に示すように、上述した昇降カゴのスリップ防止制動装置のカゴ２０の両側壁面上には、複数の制動装置３０が固設される。制動装置３０は、カゴ２０の両側壁面上に非等間隔に形成された縦３列と、横３列とが交差する箇所にそれぞれ設けられる。
【００１７】
上述した昇降カゴのスリップ防止制動装置の閂孔４１の寸法が閂杆３１より大きくため（図３を参照する）、制動装置３０が上昇制動を行い、閂杆３１が閂孔４１の頂面（図４を参照する）に当接されるため、制動装置３０が下降制動を行い、閂孔４１の底面に閂杆３１が当接される（図５を参照する）。
【００１８】
上述したことから分かるように、本考案の昇降カゴのスリップ防止制動装置は、カゴの外周に複数の制動装置が設けられ、昇降路内には複数の位置決め部材が設けられ、制動装置と昇降カゴのドアとは連動されて機構又は電力で駆動され、昇降カゴのドアが開くと制動され、昇降カゴのドアが閉まると元の状態に回復し、昇降カゴがスリップすることを防ぐ。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１０  昇降路
２０  カゴ
２１  カゴドア
３０  制動装置
３１  閂杆
３２  ばね
４０  位置決め部材
４１  閂孔
５０  ワイヤロープ
【図１】
0003205364.tif 000003
【図２】
0003205364.tif 000004
【図３】
0003205364.tif 000005
【図４】
0003205364.tif 000006
【図５】
0003205364.tif 000007
【図６】
0003205364.tif 000008